(57)【要約】【課題】一旦保存したデータを削除するか否かの判断を容易にした端末装置を提供する。【解決手段】メモリ１２に含まれる各種データを外部に出力した場合には、そのデータと関連付けて、出力先、出力日時、出力手段を含む出力履歴データを生成／更新し、必要に応じて、出力後に表示可能に構成した。【選択図】図１
2006209462.tif 000002
【特許請求の範囲】
【請求項１】
多種の外部装置に対して任意のデータを出力可能な異なる方式の複数の出力手段と、
前記データごとに、該データが前記異なる方式の複数の出力手段により出力されたこと
の履歴である出力履歴を表示可能な表示手段と、
を備える端末装置。
【請求項２】
所定のデータを選択する選択手段と、を更に備え、
前記表示手段は、前記選択手段により選択されるデータの出力履歴を表示可能である
請求項１に記載の端末装置。
【請求項３】
前記表示手段は、前記出力手段ごとの出力履歴を表示可能である
請求項１または２に記載の端末装置。
【請求項４】
複数のデータを記憶可能な記憶手段と、
前記記憶手段に記憶されたデータのうち少なくとも一のデータを該記憶手段から削除処理をする削除手段と、を更に備え、
前記表示手段は、前記削除手段によりデータの削除処理がされる前に、該削除されるデータの出力履歴を表示する
請求項１〜３のいずれかに記載の端末装置。
【請求項５】
前記表示手段は、所定のデータと共に前記所定のデータとは異なる他のデータが前記出力手段により前記外部装置に出力された場合、前記データの出力履歴を表示すると共に、前記他のデータの情報を表示する
請求項１〜４のいずれかに記載の端末装置。
【請求項６】
所定のデータと、該データの出力履歴とを関連付けた出力履歴データを記憶する第２の記憶手段と、を更に備え、
前記表示手段は、前記出力履歴を、前記第２の記憶手段に記憶された前記出力履歴データに基づいて表示する
請求項１〜５のいずれかに記載の端末装置。
【請求項７】
前記出力手段によるデータの出力に応じて、当該データに対応する出力履歴を更新する
請求項１〜６のいずれかに記載の端末装置。
【請求項８】
前記異なる方式の複数の出力手段が、有線または無線通信による出力手段、光通信による出力手段、赤外線による出力手段、ＵＳＢによる出力手段、シリアル転送による出力手段、パラレル転送による出力手段の少なくとも一以上からなる、
請求項１〜７のいずれかに記載の端末装置。
【請求項９】
前記出力履歴は、少なくとも前記出力手段により出力された出力先、出力日時、前記出力手段を識別する表示のいずれか一以上を含む
請求項１〜８のいずれかに記載の端末装置。
【発明の詳細な説明】
【技術分野】
【０００１】
本発明は、有線または無線通信によって外部にデータを出力する端末装置に関する。
【背景技術】
【０００２】
携帯電話機、ＰＤＡ、パーソナルコンピュータなどの端末装置は、有線または無線通信により、外部の機器とデータ通信を行っている。そして、このデータ通信におけるデータの送信履歴（出力履歴）を保存することで、ユーザに対する利便性を高めるための技術が提案されている。
【０００３】
たとえば、下記特許文献１には、端末側が送信履歴を保存しておき、その送信履歴の情報を基に削除要求メールを作成・送信し、メールサーバ側で、すでに送信されているメールを削除することで、誤送信メール等を送信側から削除することを可能にしたメールシステムが提案されている。下記特許文献２には、ユーザごとにコンテンツの送信履歴を保存することで、その次のコンテンツに対するアクセス性を高めたコンテンツ配信システムが提案されている。
【０００４】
その他、画像の出力が許可されるユーザ毎に、画像の出力履歴を記憶するサーバ装置や、ネットワーク経由で画像データを送信した場合に、送信履歴を自動的に記憶する手段を備えたカメラなどが知られている。
【０００５】
【特許文献１】特開平１１−２５２１６５号公報
【特許文献２】特開２０００−１１０４１３号公報
【発明の開示】
【発明が解決しようとする課題】
【０００６】
ところで、上述した従来の端末装置は、送信（出力）したデータを保存する記憶部（メモリ）を有していることが一般的であるが、この記憶部のデータ容量は当然ながら有限である。したがって、その記憶部に空き容量が少なくなったことをユーザが認識した場合には、新規のデータを記憶可能にするべく、すでに記憶部が記憶するデータを一部消去する必要がある。
そして、記憶部のデータを一部消去する場合には、データの内容を逐次確認し、消去してもよいか否かの判断をする必要があるが、この確認・判断作業は、記憶部内の多くのデータに対して行わなければならず、ユーザにとって極めて煩雑である。
【０００７】
本発明は、上述した観点に鑑みてなされてものであって、その目的は、ユーザはデータをどこに出力したかを把握できる端末装置を提供することにある。
【課題を解決するための手段】
【０００８】
上記課題を克服するために、本発明は、多種の外部装置に対して任意のデータを出力可能な異なる方式の複数の出力手段と、前記データごとに、該データが前記異なる方式の複数の出力手段により出力されたことの履歴である出力履歴を表示可能な表示手段と、を備える端末装置である。
【０００９】
好適には、所定のデータを選択する選択手段と、を更に備え、前記表示手段は、前記選択手段により選択されるデータの出力履歴を表示可能である。
【００１０】
好適には、前記表示手段は、前記出力手段ごとの出力履歴を表示可能である。
【００１１】
好適には、複数のデータを記憶可能な記憶手段と、前記記憶手段に記憶されたデータのうち少なくとも一のデータを該記憶手段から削除処理をする削除手段と、を更に備え、前記表示手段は、前記削除手段によりデータの削除処理がされる前に、該削除されるデータの出力履歴を表示する。
ここで、削除処理がされる前とは、たとえば削除処理（動作）のためにデータを選択したときや、該選択されたデータの削除を指示する信号が出力されたとき等を例示することができる。
【００１２】
好適には、前記表示手段は、所定のデータと共に前記所定のデータとは異なる他のデータが前記出力手段により前記外部装置に出力された場合、前記データの出力履歴を表示すると共に、前記他のデータの情報を表示する。
ここで、他のデータの情報とは、他のデータのデータ名、データの内容等をいう。
【００１３】
好適には、所定のデータと、該データの出力履歴とを関連付けた出力履歴データを記憶する第２の記憶手段と、を更に備え、前記表示手段は、前記出力履歴を、前記第２の記憶手段に記憶された前記出力履歴データに基づいて表示する。
【００１４】
好適には、前記出力手段によるデータの出力に応じて、当該データに対応する出力履歴を更新する。
【００１５】
好適には、前記異なる方式の複数の出力手段が、有線または無線通信による出力手段、光通信による出力手段、赤外線による出力手段、ＵＳＢによる出力手段、シリアル転送による出力手段、パラレル転送による出力手段の少なくとも一以上からなる。
【００１６】
好適には、前記出力履歴は、少なくとも前記出力手段により出力された出力先、出力日時、前記出力手段を識別する表示のいずれか一以上を含む。
ここで、出力手段を識別する表示とは、出力手段の方式、種類、種別、特定の名称等の個々の出力手段を識別する表示をいう。
【発明の効果】
【００１７】
本発明によれば、ユーザはデータをどこに出力したかを把握できる。
【発明を実施するための最良の形態】
【００１８】
以下、本発明の実施形態を添付図面に関連付けて説明する。
図１は、本発明に係る端末装置の一実施形態としての携帯電話機１のシステム構成図である。図２は、実施形態に係る携帯電話機１の外観の一例を図解した図である。
【００１９】
図１に示すように、携帯電話機１は、送受信アンテナ１１１を含む通信処理部１１、メモリ１２、スピーカ１３１およびマイクロフォン１３２を含む音声処理部１３、表示部１４、キー入力部１５、外部インタフェース１６、撮像部１７、制御部１８、を有している。
【００２０】
メモリ１２は、本発明の記憶手段および第２の記憶手段の一実施形態である。
表示部１４は、本発明の表示手段の一実施形態である。
通信処理部１１、外部インタフェース１６は、本発明の複数の出力手段の一実施形態である。
【００２１】
通信処理部１１は、基地局を介した無線通信動作、たとえば、電話番号の発呼動作や電子メールの送受信動作などを行う。
通信処理部１１は、送受信アンテナ１１１を含んで構成され、電波を利用した無線通信で行うために、制御部１８で処理された音声情報、電子メール等の様々なデータを変調し、送受信アンテナ１１１により図示しない基地局に送信（出力）する。
また、通信処理部１１は、基地局から無線により送信され、送受信アンテナ１１１で受信した電子メールや音声情報等の各種データを復調し、制御部１８に供給する。
【００２２】
通信処理部１１は、たとえばＣＤＭＡ  １ｘ等の所定の通信方式に適合した通信を行うことにより、ネットワーク上のサーバ装置（図示しない）に格納されたデータにアクセスして、ダウンロードすることが可能である。
【００２３】
メモリ１２は、ＥＥＰＲＯＭ等の不揮発性メモリを含んで構成され、通話やメールの送受信のための制御プログラム、インターネットブラウザ、メッセージデータ、名前および電話番号が登録されたアドレス帳、画像データなどの各種データを記憶（格納）する。
【００２４】
メモリ１２は、上述した各種データが通信処理部１１や外部インタフェース１６により携帯電話機１の外部に出力された履歴を示す出力履歴データを記憶（格納）する。出力履歴データは、上述した各種データと関連付けて記憶される。
出力履歴データは、出力先、出力日時、出力手段（本実施形態では、通信処理部１１または外部インタフェース１６のいずれかによって行われた出力方法）を示す情報を含むデータである。出力履歴データに含まれる情報はこれに限られず、データの出力後にユーザが出力の履歴を認識することができればよい。
たとえば、少なくとも前記出力手段により出力された出力先、出力日時、前記出力手段を識別する表示のいずれか一以上を含んでいればよい。ここで、「出力手段を識別する表示」とは、出力手段の方式、種類、種別、特定の名称等の個々の出力手段を識別する表示をいう。
【００２５】
音声処理部１３は、音声処理回路を有し、通話機能のために音声出力を行うスピーカ１３１と音声入力を行うマイクロフォン１３２が接続されている。
音声処理部１３は、マイクロフォン１３２により集音した音声に対して符号化等の所定の処理を行って制御部１８に供給する。
音声処理部１３は、制御部１８により供給された音声情報に対して復号化等の所定の処理を行ってスピーカ１３１から出力させる。
【００２６】
表示部１４は、図１に示すように、携帯電話機１の筐体の上部に配設された液晶表示装置（ＬＣＤ）等の表示デバイスを有し、制御部１８の指示に基づいてテキストデータや画像等を表示デバイス上に表示する。
【００２７】
キー入力部１５は、複数の入力キー（以下、単にキー）を含んで構成される。図２に示すように、複数のキーは、インターネットに接続するためのウェブキー１５ａ、電子メール機能を行うためのメールキー１５ｂ、ソフト１キー１５ｃおよびソフト２キー１５ｆ、上下左右キー１５ｄ、処理を確定させるための決定キー１５ｅ、発話するためのオフフックキー１５ｇ、クリアキー１５ｈ、終話するためのオンフックキー１５ｉ、「０」〜「９」の数字、「＊」、「＃」に対応したテンキー１５ｊからなる。
【００２８】
決定キー１５ｅ、ソフト１キー１５ｃおよびソフト２キー１５ｆは、表示部１４の表示状態に応じて、操作に対する動作が異なるキーである。操作に対する動作内容は、表示部１４の画面最下部に表示される。
上下左右キー１５ｄは、上下左右の４方向の操作が可能なキーである。たとえば、表示部１４が複数の選択項目をリスト表示している場合、上下左右キー１５ｄを操作することで、ユーザは、複数の選択項目の中から１つの選択項目を指定することができる。
【００２９】
キー入力部１５は、入力回路を有し、上述したキーに対するユーザの操作（押下）がなされると、入力回路を介して電気信号を制御部１８に伝達する。制御部１８は、この電気信号を検出して、操作されたキーに対応する処理を実行する。
【００３０】
外部インタフェース１６は、撮像部１７により取得した画像データなどの様々なデータを、たとえばプリンタ、外部メモリなどの外部の機器に対して、有線または無線通信により出力するためのインタフェース回路を含んで構成される。通信方式としては、近距離無線通信、ＵＳＢによる通信、ＲＳ２３２Ｃ等のシリアル通信、赤外線通信などである。
【００３１】
撮像部１７は、被写体の像を結像するための集光レンズ、結像された像を電気信号に変換するＣＣＤ（Charge Coupled Device）、さらにその電気信号に信号処理して画像デジタルデータ（画像データ）を生成する信号処理回路等を含んで構成される。
【００３２】
制御部１８は、マイクロコンピュータを主体として構成され、携帯電話機１の全体の制御を行う。たとえば、制御部１８は、通信処理部１１における各種情報の無線による送受信の制御、音声処理部１３に対する音声情報の処理、表示部１４への情報の表示制御、キー入力部１５の入力情報に応じた処理、メモリ１２に対するアクセス制御等を行う。
【００３３】
制御部１８は、キー入力部１５の所定のキーの押下を検出して、撮像部１７に対して撮像指示信号を送出するとともに、撮像部１７により取得した画像データをメモリ１２に格納する。
【００３４】
制御部１８は、メモリ１２に格納する出力履歴データを管理する。たとえば、出力履歴データの生成および更新を行うとともに、出力履歴データの内容を表示部１４に表示する。
すなわち、制御部１８は、メモリ１２に格納するデータが、通信処理部１１または外部インタフェース１６を介して外部に出力された場合には、出力履歴データを生成し、そのデータと関連付けてメモリ１２に格納する。そのデータに対応する出力履歴データがすでにメモリ１２に存在している場合には、出力履歴データを更新する。また、キー入力部１５の押下に応じて、指定された出力履歴データの内容を表示部１４に表示する。
【００３５】
次に、携帯電話機１の動作について述べる。
まず、メモリ１２に格納される各種データを出力するときの処理について、図３および図４に関連付けて説明する。
【００３６】
図３は、たとえば画像データなどメモリ１２に格納されるデータを出力するときの処理を示すフローチャートである。
図３において、ユーザのキー入力部１５に対する所定の操作に応じて、ユーザにより指定された画像データの出力が、たとえば赤外線通信によって外部インタフェース１６を経由して開始される（ステップＳＴ１）。そして、その画像データのデータ出力が完了すると（ステップＳＴ２）、制御部１８は、その出力された画像データに対応する出力履歴データが存在するか否かの確認を行う（ステップＳＴ３）。
【００３７】
その結果、出力された画像データに対応する出力履歴データがメモリ１２に存在する場合には、その出力履歴データの更新を行う（ステップＳＴ４）。すなわち、その画像データの出力先、出力日時、出力が赤外線通信により行われたこと、が出力履歴データに書き加えられる。
出力された画像データに対応する出力履歴データが存在しない場合には、その画像データの出力先、出力日時、出力が赤外線通信により行われたこと、を含む出力履歴データが新たに生成され（ステップＳＴ５）、出力された画像データと関連付けられてメモリ１２に格納される。
【００３８】
図４は、たとえば電子メールを送信（出力）するときの処理を示すフローチャートである。
図４において、ユーザのキー入力部１５に対する所定の操作に応じて、生成された電子メールの送信（出力）が、通信処理部１１を経由して開始される（ステップＳＴ１０）。そして、その電子メールの送信が完了すると（ステップＳＴ１１）、制御部１８は、送信した電子メールに添付ファイルが存在しない場合には（ステップＳＴ１２）、処理を終了する。
送信した電子メールに添付ファイル（データ）が存在する場合（ステップＳＴ１２）、制御部１８は、その添付ファイルに対応する出力履歴データが存在するか否かの確認を行う（ステップＳＴ１３）。
【００３９】
その結果、添付ファイルに対応する出力履歴データがメモリ１２に存在する場合には、その出力履歴データの更新を行う（ステップＳＴ１４）。すなわち、その添付ファイルの出力先、出力日時、出力がメール添付（つまり、通信処理部１１）により行われたこと、が出力履歴データに書き加えられる。また、その際、出力履歴データは、送信された電子メールと関連付けられ、出力履歴データから電子メールの本文を参照することが可能となる。
添付ファイルに対応する出力履歴データがメモリ１２に存在しない場合には、その添付ファイルの出力先、出力日時、出力がメール添付により行われたこと、を含む出力履歴データが新たに生成され（ステップＳＴ１５）、添付ファイルと関連付けられてメモリ１２に格納される。この場合にも、出力履歴データは、送信された電子メールと関連付けられる。
【００４０】
次に、メモリ１２に格納される各種データに対応する出力履歴を表示する処理について、図５〜７に関連付けて説明する。
【００４１】
図５は、たとえば画像データなどメモリ１２に格納されるデータに対応する出力履歴を表示する処理を示すフローチャートであり、図６は、出力履歴を表示するときの表示画面を示す。なお、図６に示す表示画面は、（ａ）に示すように、画像データ（フォトデータ）に対応する出力履歴の一例である。
【００４２】
図５では、まず、ユーザによるキー入力部１５に対する所定の操作により、データの一覧が表示部１４の表示画面に表示される（ステップＳＴ２０）。たとえば、図６（ａ）に示す例では、３つの画像データ（フォトデータ）が表示されている。
この状態で、ユーザがたとえばオフフックキー１５ｇなど、図６（ａ）に示す画面状態において無効なキーが押下されると（ステップＳＴ２１）、処理は終了する
一方、たとえば上下左右キー１５ｄによって３つの画像データのうちいずれかの画像データが選択されたうえで（ステップＳＴ２２）、ソフト１キー１５ｃによって機能メニューが選択されると、その機能メニューに応じた処理を行う（ステップＳＴ２３）。図６（ｂ）には、機能メニューの表示の一例が示されている。
【００４３】
ここで、機能メニューの中から、「送信履歴表示」を選択すると、出力履歴表示が行われる（ステップＳＴ２４）。具体的には、制御部１８は、メモリ１２にアクセスして、選択された画像データに対応する出力履歴データを検索し、その結果を図６（ｃ）に例示するフォーマットで表示させる。すなわち、出力履歴データに含まれる出力日時および出力手段（メール添付、シリアル経由等）を一覧に表示させる。
また、別の表示例としては、図６（ｄ）に示すように、出力履歴をより詳細に表示させる。すなわち、出力履歴データに含まれる出力日時および出力手段（メール添付、シリアル経由等）に加えて、出力先（山田太郎宛など）を一覧に表示させるようにする。
【００４４】
なお、出力先としては、アドレス帳上での氏名や電子メールアドレス、外部メモリのハードウエア名称，シリアル番号を表示してもよい。また、出力先がパーソナルコンピュータの場合には、クライアントとなるソフトウエア名称やそのバージョン番号を表示してもよい。出力先がいわゆるキオスク端末など外部に設置された端末の場合には、その端末名や設置場所に関するデータを表示してもよい。
【００４５】
また、選択された画像データが電子メールの添付ファイルとして送信（出力）されている場合には、その電子メールが出力履歴データと関連付けられているので、図６（ｃ）または（ｄ）に示す送信履歴表示の画面において、電子メールの内容（本文）が参照できるようにしてもよい（図６（ｅ））。これにより、ユーザにとって、送信（出力）後に、画像データを削除してよいか否かの判断を行うことが一層容易になる。
このように、画像データとともに、その画像データと異なる他のデータ（データ名、電子メールの内容等）が外部に出力された場合、画像データの出力履歴が表示されると共に、上述した他のデータの情報を表示する。これにより、画像データを削除してよいか否かの判断を行うことが一層容易になる。
【００４６】
ステップＳＴ２３において、機能メニューの中から「消去」が選択された場合には、選択されている画像データの削除処理がされる前に、その削除される画像データの出力履歴を表示するように構成してもよい。これにより、ユーザの意図に反したデータが不用意に削除されることを防止することができる。
ここで、「削除処理がされる前」とは、たとえば削除処理（動作）のためにデータを選択したときや、該選択されたデータの削除を指示する信号が出力されたとき等を例示することができる。
【００４７】
図５のフローチャートに戻る。
機能メニューにおいて、「送信履歴表示」以外の項目を選択すると、その選択に応じた処理を行う（ステップＳＴ２５）。また、「送信履歴表示」が選択された場合には、キー入力部１５に対する操作によって出力履歴表示の終了が指示されるまで（ステップＳＴ２６）、出力履歴表示が行われる（ステップＳＴ２４）。
【００４８】
なお、上述した機能メニューにおいて、データが電子メールに添付して出力（送信）されたことを示す添付履歴表示を選択できるように構成してもよい。図７は、その添付履歴表示を説明するための図である。
【００４９】
図７（ａ）に示すように、機能メニューの中に、「添付履歴表示」の項目が表示される。そして、この「添付履歴表示」が選択されると、図７（ｂ）に示すように、宛先ごとに、電子メールに添付されたデータ（たとえば、画像データ）の一覧が表示される。なお、このとき、添付履歴表示の選択に応じて、宛先（氏名または電子メールアドレス）の一覧が表示され、１つの宛先を選択する処理が行われる。制御部１８は、宛先が選択されると、その宛先（出力先）を含む出力履歴データを検索して、電子メールに添付されて送信されたデータを特定し、送信日時（出力日時）を含めて一覧にして表示する。
これにより、ユーザは、宛先と送信日時を同時に視認することができるので、画像データを削除するか否かの判断を容易に行うことができる。
【００５０】
以上説明したように、本実施形態に係る携帯電話機１によれば、メモリ１２に含まれる各種データを外部に出力した場合には、そのデータと関連付けて、出力先、出力日時、出力手段を含む出力履歴データを生成／更新し、必要に応じて、出力後に表示可能に構成したので、以下の効果が得られる。
すなわち、メモリ１２の空き容量が少なくなり、メモリ１２内の一部のデータを削除する必要がある場合には、各種データと関連付けられた出力履歴データの内容（出力先、出力日時、出力手段）を参照することにより、ユーザは、そのデータを削除してよいか否かの判断を容易の行うことが可能となる。
たとえば、画像データを必要とする人に対して送信済みである場合や、バックアップのために画像データを外部メモリに出力済みである場合、画像データを外部のプリンタでプリント済みである場合、その画像データを削除してよい場合があるが、本実施形態に係る携帯電話機１によれば、選択されたデータの出力履歴をすぐに確認できるので、上記場合に該当するか否か容易に判断できる。
【００５１】
なお、本発明の実施形態は、上述した実施形態に拘泥せず、本発明の要旨を変更しない範囲内で様々な改変が可能である。
たとえば、上述した実施形態では、メモリ１２内に各種データにそれぞれ対応する形で出力履歴データを記憶する構成としたが、出力履歴データとして一元的にメモリ１２内に記憶しなくてもよい。上述した出力履歴データに含まれる出力先、出力日時、出力手段は、電子メールデータ等の様々な周辺データに含まれているので、たとえば、図６（ｂ）の機能メニューで「送信履歴表示」が選択された時点で、これらの周辺データから必要な情報を逐一取得して、送信履歴を表示するように構成してもよい。
【図面の簡単な説明】
【００５２】
【図１】本発明に係るデータ処理装置の一実施形態としての携帯電話機のシステム構成図である。
【図２】実施形態に係る携帯電話機の外観の一例を図解した図である。
【図３】データを出力するときの処理を示すフローチャートである。
【図４】電子メールを送信（出力）するときの処理を示すフローチャートである。
【図５】データに対応する出力履歴を表示する処理を示すフローチャートである。
【図６】出力履歴を表示するときの表示画面を示す。
【図７】添付履歴表示を説明するための図である。
【符号の説明】
【００５３】
１…携帯電話機
１１…通信処理部
１１１…送受信アンテナ
１２…メモリ
１３…音声処理部
１３１…スピーカ
１３２…マイクロフォン
１４…表示部
１５…キー入力部
１６…外部インタフェース
１７…撮像部
１８…制御部
【図１】
2006209462.tif 000003
【図２】
2006209462.tif 000004
【図３】
2006209462.tif 000005
【図４】
2006209462.tif 000006
【図５】
2006209462.tif 000007
【図６】
2006209462.tif 000008
【図７】
2006209462.tif 000009